(57)【特許請求の範囲】
【請求項１】
第１週目から第６週目に亘って格子状に配置されており、日を表示する複数の日表示窓を有するベース板と、前記複数の日表示窓に対応した位置にそれぞれ配される少なくとも一つの日を含む複数の日数ユニットを有し、前記ベース板の後面部に対向した前記ベース板に平行な方向に回転可能な日付板とを備える万年カレンダーにおいて、
前記日付板を係止し、一部が前記ベース板の後面部に固定されており、他部が前記日付板に接離可能な係止部と、
前記日付板に固定されており、前記係止部が係止する被係止部と
を備え、
前記ベース板の後面部に全ての曜日が表示されており、
前記ベース板に表示されたいずれかの曜日に対する位置決めを行う位置決め部が前記日付板に設けられており、
前記位置決め部による位置決めを行った場合、位置決めを行った前記曜日に対応する第１週目の前記日表示窓に１が表示されること
を特徴とする万年カレンダー。
【請求項２】
前記位置決め部は、前記ベース板に表示されたいずれかの曜日を視認する窓を含むこと
を特徴とする請求項１に記載の万年カレンダー。
【請求項３】
第１週目から第６週目に亘って格子状に配置されており、日を表示する複数の日表示窓を有するベース板と、前記複数の日表示窓に対応した位置にそれぞれ配された少なくとも一つの日を含む複数の日数ユニットを有し、前記ベース板の後面部に対向した前記ベース板に平行な方向に回転可能な日付板とを備える万年カレンダーにおいて、
前記ベース板の縁部分に、端部が突き合わされた複数の補強レールが設けられており、
前記複数の補強レールの突き合わされた各端部を連結する連結部を備え、
前記連結部が展開可能な台を有すること
を特徴とする万年カレンダー。
【発明の詳細な説明】
【技術分野】
【０００１】
本発明は、各年及び各月に応じて変更可能な万年カレンダーに関する。
【背景技術】
【０００２】
第１週目から第６週目に亘って格子状に配置された複数の日表示窓を有する前面板と、該前面板の後側においてスライド可能に配置されており、前記複数の日表示窓にそれぞれ対応した複数の日数字群を有するスライド板とを備える万年カレンダーが従来提案されている。スライド板を移動させることによって、日数字群に含まれる所望の日を日表示窓に表示させることができる（例えば特許文献１参照）。
【０００３】
前記万年カレンダーは、スライド板の正面にフックを設け、前面板に貫通孔を設けて、該貫通孔にフックを挿入し、スライド板を固定するか、又はスライド板を金属素材にし、前面板をマグネットシートにして、スライド板を固定する。
【先行技術文献】
【特許文献】
【０００４】
【特許文献１】特開２００４−１３１４１号公報
【発明の概要】
【発明が解決しようとする課題】
【０００５】
フックは前方に突出しているので、安全性の問題が生じるし、また外観意匠性が低下する。マグネットシートを使用した場合、磁力によって前面板に密着したスライド板を移動させるには、マグネットシートからスライド板を剥がす必要があり、また剥がしても磁力によって、スライド板は容易にマグネットシートに再度密着するので、スライド板を円滑に移動させることが難しい。
【０００６】
また、例えば壁に万年カレンダーを取り付けた場合、スライド板を移動させる都度、万年カレンダーの重心が移動するので、平衡をとれるように、万年カレンダーの位置を変更・調整する必要がある。また前記万年カレンダーには、ペン等の道具を載置するための構成がなく、利便性に欠ける。
【０００７】
本発明は斯かる事情に鑑みてなされたものであり、外観意匠性を損なうことなく、日付を記載した部品の円滑な移動及び固定を両立させることができる万年カレンダーを提供することを目的とする。
【０００８】
また平衡をとれるように位置を変更・調整可能な万年カレンダーを提供することを目的とする。
【０００９】
また道具を載置することができる万年カレンダーを提供することを目的とする。
【課題を解決するための手段】
【００１０】
本発明に係る万年カレンダーは、第１週目から第６週目に亘って格子状に配置されており、日を表示する複数の日表示窓を有するベース板と、前記複数の日表示窓に対応した位置にそれぞれ配される少なくとも一つの日を含む複数の日数ユニットを有し、前記ベース板の後面部に対向した前記ベース板に平行な方向に回転可能な日付板とを備える万年カレンダーにおいて、前記日付板を係止し、一部が前記ベース板の後面部に固定されており、他部が前記日付板に接離可能な係止部と、前記日付板に固定されており、前記係止部が係止する被係止部とを備えることを特徴とする。
【００１１】
本発明に係る万年カレンダーは、前記ベース板の後面部に全ての曜日が表示されており、前記ベース板に表示されたいずれかの曜日に対する位置決めを行う位置決め部が前記日付板に設けられており、前記位置決め部による位置決めを行った場合、位置決めを行った前記曜日に対応する第１週目の前記日表示窓に１が表示されることを特徴とする。
【００１２】
本発明に係る万年カレンダーは、前記位置決め部は、前記ベース板に表示されたいずれかの曜日を視認する窓を含むことを特徴とする。
【００１３】
本発明に係る万年カレンダーは、前記ベース板の後面縁部分に前記日付板を保持する保持部が設けられていることを特徴とする。
【００１４】
本発明に係る万年カレンダーは、横方向に延びた長孔を有し、該長孔の長手縁部に複数の凹凸が連続的に形成されたフック部が前記ベース板の縁部分に設けられていることを特徴とする。
【００１５】
本発明に係る万年カレンダーは、前記ベース板の縁部分に、端部が突き合わされた複数の補強レールが設けられており、前記複数の補強レールの突き合わされた各端部を連結する連結部を備え、前記連結部が展開可能な台を有することを特徴とする。
【００１６】
本発明に係る万年カレンダーは、第１週目から第６週目に亘って格子状に配置されており、日を表示する複数の日表示窓を有するベース板と、前記複数の日表示窓に対応した位置にそれぞれ配された少なくとも一つの日を含む複数の日数ユニットを有し、前記ベース板の後面部に対向した前記ベース板に平行な方向に回転可能な日付板とを備える万年カレンダーにおいて、横方向に延びた長孔を有し、該長孔の長手縁部に複数の凹凸が連続的に形成されたフック部が前記ベース板の縁部分に設けられていることを特徴とする。
【００１７】
本発明に係る万年カレンダーは、第１週目から第６週目に亘って格子状に配置されており、日を表示する複数の日表示窓を有するベース板と、前記複数の日表示窓に対応した位置にそれぞれ配された少なくとも一つの日を含む複数の日数ユニットを有し、前記ベース板の後面部に対向した前記ベース板に平行な方向に回転可能な日付板とを備える万年カレンダーにおいて、前記ベース板の縁部分に、端部が突き合わされた複数の補強レールが設けられており、前記複数の補強レールの突き合わされた各端部を連結する連結部を備え、前記連結部が展開可能な台を有することを特徴とする。
【００１８】
本発明においては、係止部がベース板の後面部に固定されているので、係止部は正面から視認されない。また係止部は日付板に接離可能であるため、日付板を固定させる場合に、係止部は日付板に接近して、被係止部に係止し、日付板を回転させる場合には、係止部は被係止部との係止を解除し、日付板から離れる。
【００１９】
本発明においては、ベース板の後面部に表示された曜日と位置決め部との位置決めを行うだけで、第１週目におけるユーザが所望する曜日に対応する日付表示窓に、「１」を表示させることができる。すなわち、万年カレンダーを、ユーザが所望する月に対応したカレンダーにすることができる。
従来、日付の位置を変更する場合、正面側から日付の位置を確認しながら、日付板を回転させる必要があり、日付板の回転操作に難があった。しかし本発明においては、ユーザは、万年カレンダーを、例えば壁から取り外して、後面側から視認して、曜日と位置決め部との位置決めを行えばよいので、正面側から日付の位置を確認する必要はなく、利便性が向上する。
【００２０】
本発明においては、窓の内側に曜日を位置させることで、ユーザは直感的且つ容易に位置決めを実現することができる。
【００２１】
本発明においては、保持部は日付板を保持するので、日付板の脱落を防止することができる。
【００２２】
本発明においては、例えば、壁から突出した突出部を長孔に挿入させて、万年カレンダーを掛ける場合、ユーザは、万年カレンダーの平衡をとるべく、長孔の長手縁部に形成されたいずれかの凹部に突出部を係止させる。
【００２３】
本発明においては、展開可能な台を連結部に形成し、補強レールの連結とペン等の道具の載置との両方を実現する。
【発明の効果】
【００２４】
本発明に係る万年カレンダーにあっては、係止部がベース板の後面部に固定されているので、係止部は正面から視認されず、外観意匠性が損なわれない。また係止部は日付板に接離可能であるため、日付板を固定させる場合に、係止部は日付板に接近して、被係止部に係止し、日付板を回転させる場合には、係止部は被係止部との係止を解除し、日付板から離れる。そのため日付板の固定及び円滑な回転を両立させることができる。
【００２５】
また日付板を回転させて、日付の位置を変更する都度、万年カレンダーの重心位置も変更される。本発明に係る万年カレンダーにあっては、例えば、壁から突出した突出部を長孔に挿入させて、万年カレンダーを掛ける場合、ユーザは、万年カレンダーの平衡をとるべく、万年カレンダーの重心位置に対応させて、長孔の長手縁部に形成されたいずれかの凹部に突出部を係止させることができる。
【００２６】
また展開可能な台を連結部に形成することによって、補強レールの連結とペン等の道具の載置との両方を実現することができる。また連結部は台を含むので、別途台を形成する必要がなく、部品点数の増加を抑制することができる。
【図面の簡単な説明】
【００２７】
【図１】万年カレンダーを略示する分解斜視図である。
【図２】万年カレンダーを略示する正面図である。
【図３】日付板を略示する正面図である。
【図４】上レールを示す展開図である。
【図５】左レールを示す展開図である。
【図６】右レールを示す展開図である。
【図７】下レールを示す展開図である。
【図８】日付板、月プレート、係止部、被係止部、第１回転盤〜第３回転盤等の記載を省略した万年カレンダーの背面図である。
【図９】万年カレンダーの背面図である。
【図１０】円板を略示する背面図である。
【図１１】図１０に示すＸＩ−ＸＩ線を切断線とした断面図
【図１２】第１リベット及び第２リベットを略示する側面図である。
【図１３】係止部を略示する背面図である。
【図１４】係止部を略示する左側面図である。
【図１５】被係止部を略示する背面図である。
【図１６】月プレートを略示する正面図である。
【図１７】第１連結部の正面展開図である。
【図１８】図１７に示すＸＶＩＩＩ−ＸＶＩＩＩ線を切断線とした組み合わせ断面図である。
【図１９】第２連結部の正面展開図である。
【図２０】図１９に示すＸＸ−ＸＸ線を切断線とした組み合わせ断面図である。
【図２１】第３連結部の正面展開図である。
【図２２】図２１に示すＸＸＩＩ−ＸＸＩＩ線を切断線とした組み合わせ断面図である。
【図２３】第４連結部の背面展開図である。
【図２４】図２３に示すＸＸＩＶ−ＸＸＩＶ線を切断線とした組み合わせ断面図である。
【図２５】第４連結部の右側面展開図である。
【発明を実施するための形態】
【００２８】
以下本発明を実施の形態に係る万年カレンダーを示す図面に基づいて説明する。以下の説明では、図に示す上下左右前後を使用する。また左右方向は横方向に対応し、上下方向は縦方向に対応する。また正面は前面に対応し、背面は後面に対応する。図１は、万年カレンダーを略示する分解斜視図、図２は、万年カレンダーを略示する正面図である。図１において、係止部１２、第１連結部５１〜第４連結部５４、第１回転盤６１〜第３回転盤６３及び月プレート１１等の記載を省略している。
【００２９】
万年カレンダーは、透明な横長矩形のベース板１を備える。ベース板１の後面部には、例えば黒色で格子枠２が印刷されている。格子枠２の内側には、横方向及び縦方向に並設された複数の四角形の領域（以下セル２０という）が形成されている。複数のセル２０は第１行２１〜第６行２６を構成し、第１行２１〜第６行２６は、この順に上から下に並んでいる。なお第１行２１〜第６行２６は、それぞれ第１週目〜第６週目に対応する。
【００３０】
第１行２１〜第５行２５は横方向に並んだ７個のセル２０を備える。第６行２６は、横方向に並んだ２個のセル２０と、該セル２０の右隣に隣接しており、他のセル２０よりも大きな横長のセル２０（以下、大型セル２０ａという）とを備える。第１行２１を構成する各セル２０の上側において、１週間の各曜日を示す「日」、「月」、「火」、「水」、「木」、「金」、「土」がベース板１の後面部に左から右に並んで黒色で印刷されている。また格子枠２の右上には、暦上の月（１月〜１２月）を示す「月」が黒色で印刷されている。なお各曜日の並びは、「日」を左端に配置する場合に限定されない。例えば「月」を左端に配置してもよい。
【００３１】
ベース板１の後面部には、黒色で格子枠２、各曜日及び暦上の月を印刷した後、白色での印刷が重畳的に行われている。白色での印刷は、大型セル２０ａを除いた残余のセル２０（３７個のセル２０）それぞれの左上部分（以下、日表示窓２７という）と、暦上の月の左隣部分（以下月表示窓２８）とを除いた、ベース板１の後面部全体に行われている。
【００３２】
またベース板１の後面部には、白色で印刷した後、青色での印刷が重畳的に行われている。青色での印刷は、日表示窓２７と月表示窓２８とを除いたベース板１の後面部全体に行われている。すなわち、日表示窓２７及び月表示窓２８に対して印刷は行われていないので、日表示窓２７及び月表示窓２８は透明なままであり、ベース板１の後面に位置するものが日表示窓２７及び月表示窓２８を通して視認される。なお日表示窓２７は、第１行２１から第６行２６に亘って、換言すれば、第１週目から第６週目に亘って、格子状に配置されている。
【００３３】
一方、正面からベース板１を視認した場合、各セル２０及び格子枠２の外側は背景が白色であり、ホワイトボードとして使用することができる。なお青色での印刷行わなかった場合、正面からベース板１を視認した場合に、ベース板１の後面側に存在するものが透けて視認されるが、本実施例では、白色での印刷後に、青色での印刷を行っているので、ベース板１の後面側に配置されたものが透けて視認されることを防止することができる。なお、上述した黒色、白色及び青色は、印刷に使用する色の一例であり、他の色を使用してもよい。
【００３４】
本実施例のように、白色の後ろに青色を印刷した場合、白色の後ろにグレー又は黒を印刷した場合に比べて、万年カレンダーが明るくなり、前側から視認した場合に、白色がより明確に認識でき、ホワイトボードとしての機能が効果的に発揮される。
【００３５】
図３は、日付板３を略示する正面図である。ベース板１の後側には、ベース板１に対向した横長矩形の日付板３が設けられている。日付板３の縦寸法及び横寸法はベース板１の縦寸法及び横寸法よりも短い。日付板３の前面には、複数の日数ユニット３ａが設けられており、複数の日数ユニット３ａは、大型セル２０ａを除いた残余のセル２０にそれぞれ対応している。日数ユニット３ａは、複数の日表示窓２７に対応した位置にそれぞれ配される少なくとも一つの日を含む。
【００３６】
例えば、第１行２１を構成する７個のセル２０に対応する７個の日数ユニット３ａは、それぞれ、左から順に「１」、「１、２」、「１、２、３」、・・・、「１、２、３、４、５、６、７」によって構成されている。すなわち、一の日数ユニット３ａの右隣に位置する他の日数ユニット３ａは、その数字が一の日数ユニット３ａよりも一つ増加する。なお日数ユニット３ａを構成する数字は「日」を示し、所定の半径を有する円弧又は円周上に順に配置される。
【００３７】
第２行２２を構成する７個のセル２０に対応する７個の日数ユニット３ａは、それぞれ、左から順に「２、３、４、５、６、７、８」、「３、４、５、６、７、８、９」、・・・、「８、９、１０、１１、１２、１３、１４」によって、構成されている。すなわち、一の日数ユニット３ａの右隣に位置する他の日数ユニット３ａを構成する複数の数字は、一の日数ユニット３ａに比べて、その最小値及び最大値が一つずつ増加する。
【００３８】
第３行２３〜第５行２５の左から三つ目のセル２０に対応する各日数ユニット３ａまでは、同じ行内において、第２行２２と同様である。また上下に隣接する二つの行において、上の行の右端に位置する日数ユニット３ａと、下の行の左端に位置する日数ユニット３ａとの間においても、同様に、最小値及び最大値が一つずつ増加する。
【００３９】
第５行２５の左から四つ目から第６行２６のセル２０に対応する各日数ユニット３ａは、「２６、２７、２８、２９、３０、３１」、「２７、２８、２９、３０、３１」、「２８、２９、３０、３１」、・・・、「３１」によって構成されている。すなわち、一の日数ユニット３ａの右隣に位置する他の日数ユニット３ａは、その最小値が一の日数ユニット３ａよりも一つ減少する。なお第５行２５の右端に位置する日数ユニット３ａと、第６行２６の左端に位置する日数ユニット３ａとの間においても、同様に、最小値が一つ減少する。
【００４０】
各日数ユニット３ａにおいて、日数ユニット３ａを構成するいずれかの数字が、前述した３７個の日表示窓２７のうち、３１個の日表示窓２７の後側に配置され、３１個の日表示窓２７を通して、１〜３１の数字が昇順に表示される。
【００４１】
日付板３の下縁部中央よりもやや右側に取手３０が形成されている。日付板３の下縁部に、縦に延びた二つの切り込み３１が左右に並んでおり、前記下縁部における切り込み３１の間の部分が取手３０を形成している。取手３０は後側に折り曲げることができる。取手３０の上端部及び上下方向中央部には、横方向に延びた折り曲げ線３２が形成されている。日付板３の右下には、前後に貫通した位置決め窓３ｂが設けられている。
【００４２】
ベース板１の上縁部、左縁部、右縁部及び下縁部には、上レール４、左レール５、右レール６及び下レール７がそれぞれ設けられている。上レール４、左レール５、右レール６及び下レール７はそれぞれ補強レールに対応する。
【００４３】
図４は、上レール４を示す展開図である。上レール４は、前部４ａ、後部４ｂ及びヒンジ部４ｃを備える。前部４ａ及び後部４ｂそれぞれは、左右に延びた細長い等脚台形状をなす。下底が上側に位置するように前部４ａは配置されており、前部４ａの下底と後部４ｂの下底とは、ヒンジ部４ｃを介して連結している。前部４ａは、ベース板１の上縁部の前側に配置されている。後部４ｂは、ベース板１の上縁部の後側に配置されるように、ヒンジ部４ｃを折り目にして折り曲げられている。
【００４４】
後部４ｂの左右方向中央よりもやや右寄りの部分には、フック部４１が形成されている。ヒンジ部４ｃに両端が位置し且つ左右に長いＵ状をなし、横寸法及び縦寸法の異なる二つの切り込みを後部４ｂに形成し、二つの切り込みの間の部分をフック部４１にしている。図１及び図２に示すように、ヒンジ部４ｃを折り目にして、フック部４１を前方に折り曲げることによって、左右に長い長孔４１ａを有するフック部４１が構成される。長孔４１ａの上側長手縁部には、多数の凹凸が連続した鋸刃部４１ｂが形成されている。
【００４５】
例えば、壁から突出した突出部を長孔４１ａに挿入させて、万年カレンダーを掛ける場合、ユーザは、万年カレンダーの平衡をとるべく、万年カレンダーの重心位置に対応させて、長孔４１ａの鋸刃部４１ｂに形成されたいずれかの凹部に突出部を係止させることができる。鋸刃部４１ｂは多数の凹部を有しているので、ユーザは、平衡をとれるように、万年カレンダーの位置を微調整することができる。
【００４６】
フック部４１の右側及び左側それぞれにおいて、第２フック部４２が後部４ｂに形成されている。ヒンジ部４ｃに両端が位置するＵ状をなし、横寸法及び縦寸法の異なる二つの切り込みを後部４ｂに形成し、二つの切り込みの間の部分を第２フック部４２にしている。ヒンジ部４ｃを折り目にして、第２フック部４２を前方に折り曲げることによって、孔を有する第２フック部４２が構成される。壁から突出した二つの突出部を、二つの第２フック４２の孔にそれぞれ挿入することで、万年カレンダーを壁に掛けることができる。
【００４７】
図５は、左レール５を示す展開図である。左レール５は、前部５ａ、後部５ｂ及びヒンジ部５ｃを備える。前部５ａ及び後部５ｂそれぞれは、上下に延びた細長い等脚台形状をなす。下底が左側に位置するように前部５ａは配置されており、前部５ａの下底と後部５ｂの下底とは、ヒンジ部５ｃを介して連結している。前部５ａは、ベース板１の左縁部の前側に配置されている。後部５ｂは、ベース板１の左縁部の後側に配置されるように、ヒンジ部５ｃを折り目にして折り曲げられている。
【００４８】
図６は、右レール６を示す展開図である。右レール６は、前部６ａ、後部６ｂ及びヒンジ部６ｃを備える。前部６ａ及び後部６ｂそれぞれは、上下に延びた細長い等脚台形状をなす。下底が右側に位置するように前部６ａは配置されており、前部６ａの下底と後部６ｂの下底とは、ヒンジ部６ｃを介して連結している。前部６ａは、ベース板１の右縁部の前側に配置されている。後部６ｂは、ベース板１の右縁部の後側に配置されるように、ヒンジ部６ｃを折り目にして折り曲げられている。
【００４９】
右レール６の上側には、前部６ａ及び後部６ｂに亘る貫通孔６ｄが形成されている。図２に示すように、後部６ｂを折り曲げた場合、貫通孔６ｄは左側に窪んだ凹部６ｅになる。
【００５０】
図７は、下レール７を示す展開図である。下レール７は、前部７ａ、後部７ｂ及びヒンジ部７ｃを備える。前部７ａ及び後部７ｂそれぞれは、左右に延びた細長い等脚台形状をなす。下底が下側に位置するように、前部７ａは配置されており、前部７ａの下底と後部７ｂの下底とは、ヒンジ部７ｃを介して連結している。前部７ａは、ベース板１の下縁部の前側に配置されている。後部７ｂは、ベース板１の下縁部の後側に配置されるように、ヒンジ部７ｃを折り目にして折り曲げられている。後部７ｂの右部分には、切り欠き７ｄが形成されている。
【００５１】
図８は、日付板３、月プレート１１、係止部１２、被係止部１３、第１回転盤６１〜第３回転盤６３等の記載を省略した万年カレンダーの背面図、図９は、万年カレンダーの背面図である。
【００５２】
図８に示すように、ベース板１の後面部の右下部分に、全ての曜日、すなわち「日」、「月」、「火」、「水」、「木」、「金」、「土」を有する曜日群１ａが表示されている。曜日群１ａは、例えば、全ての曜日を印刷したシールを貼付することによって、ベース板１の後面部に設置される。全ての曜日は所定の半径を有する円周上に略等しい間隔を空けて配されている。図９に示すように、位置決め窓３ｂは曜日群１ａに対応した位置に設けられている。
【００５３】
右レール６の後部６ｂの上下方向中央部分に右押さえ８が設けられている。右押さえ８は、右レール６から左方向に突出している。左レール５の後部５ｂの上下方向中央部分に左押さえ９が設けられている。左押さえ９は、左レール５から右方向に突出している。左押さえ９の上下寸法は、右押さえ８よりも長い。図９に示すように、右押さえ８及び左押さえ９は、日付板３の後側に位置し、日付板３を保持する。右押さえ８及び左押さえ９は保持部に対応する。
【００５４】
図９に示すように、日付板３及びベース板１の間には、第１回転盤６１〜第３回転盤６３が設けられている。第１回転盤６１及び第２回転盤６２は、日付板３の右上部及び左上部にそれぞれ設けられている。第３回転盤６３は、日付板３における取手３０の左側に設けられている。
【００５５】
図１０は、円板６０を略示する背面図、図１１は、図１０に示すＸＩ−ＸＩ線を切断線とした断面図、図１２は、第１リベット１６１及び第２リベット１６２を略示する側面図である。
【００５６】
第１回転盤６１〜第３回転盤６３それぞれは、円板６０と、第１リベット１６１と、第２リベット１６２とを備える。円板６０は、その中心を回転中心として回転する。円板６０の中心及び円板６０の周縁部には、第１リベット１６１及び第２リベット１６２が嵌合する第１嵌合孔６０ａ及び第２嵌合孔６０ｂがそれぞれ設けられている。
【００５７】
図２に示すように、三つの第１リベット１６１がべース板を前側から貫通している。三つの第１リベット１６１は、第１回転盤６１〜第３回転盤６３の第１嵌合孔６０ａにそれぞれ回転可能に嵌合している。円板６０は、第１リベット１６１の軸回りに回転することができる。第１リベット１６１の頭部と円板６０との間にベース板１は挟まれている。
【００５８】
図９に示すように、三つの第２リベット１６２が日付板３を後側から貫通している。三つの第２リベット１６２は、第１回転盤６１〜第３回転盤６３の第２嵌合孔６０ｂにそれぞれ回転可能に嵌合している。第２リベット１６２の頭部と円板６０との間に日付板３は挟まれている。
【００５９】
第１回転盤６１〜第３回転盤６３によって、日付板３は回転可能に三点支持されている。取手３０を回転操作することによって、第１回転盤６１〜第３回転盤６３が第１リベット１６１の軸回りに回転し、日付板３が回転する。日付板３の位置決め窓３ｂから曜日群１ａの曜日が後方から視認される。回転によって、日付板３の位置が変更された場合、位置決め窓３ｂから視認される曜日も変更される。位置決め窓３ｂから視認される曜日と、第１行２１の日表示窓２７に表示された「１」に対応する曜日とは一致する。例えば、図９に示すように、位置決め窓３ｂに「日」が表示されている場合、図２に示すように、第１行２１（第１週目）の日曜日に対応する日表示窓２７に「１」が表示される。
【００６０】
換言すれば、曜日群１ａの曜日に対して位置決め窓３ｂによる位置決めを行った場合、位置決めを行った曜日に対応する第１行２１（第１週目）の日表示窓２７に「１」が表示される。ユーザは、後方から視認しながら、位置決め窓３ｂに所望の曜日を表示させるだけで、第１週目の所望の曜日に「１」を表示させることができる。
【００６１】
位置決め窓３ｂは位置決め部の一例であり、位置決め部は位置決め窓３ｂに限定されない。例えば、日付板３の曜日群１ａに対向する部分を透明に構成し、この透明部分に矢印又はマーク等の指標を設けて、曜日群１ａの曜日に対して、指標を位置決めしてもよい。
【００６２】
図９に示すように、下レール７の切り欠き７ｄに日付板３を係止する係止部１２が設けられている。図１３は、係止部１２を略示する背面図、図１４は、係止部１２を略示する左側面図である。
【００６３】
係止部１２は上下に延びた矩形板状をなす。係止部１２の下端部は切り欠き７ｄの内側に位置し、下レール７の前部７ａに固定されている。係止部１２の下部には、横長のヒンジ部１２ａが設けられており、該ヒンジ部１２ａを中心にして、係止部１２の上部は回動することができ、日付板３の背面部に接近するか又は日付板３の背面部から離れることができる（接離可能である）。係止部１２の上端部には、後方に突出した突起部１２ｂが設けられている。
【００６４】
図９に示すように、日付板３の下縁部右側に、係止部１２が係止する被係止部１３が設けられている。図１５は、被係止部１３を略示する背面図である。被係止部１３は、正方形状をなすプレート１３ａと、該プレート１３ａの後面に形成されており、突起部１２ｂが嵌合する７個の嵌合凹部１３ｂとを備える。プレート１３ａの下辺は、日付板３の下辺に沿って配置されている。７個の嵌合凹部１３ｂは、プレート１３ａの中心の周りに略等間隔を空けて配置されている。プレート１３ａの中心回りにおける隣り合う二つの嵌合凹部１３ｂ間の位相は、曜日群１ａの隣り合う二つの曜日間の位相に略等しく、各嵌合凹部１３ｂは、曜日群１ａの各曜日に対応した位置に配されている。
【００６５】
係止部１２の上端部を日付板３に接近させて、換言すれば被係止部１３に接近させて、突起部１２ｂを嵌合凹部１３ｂに嵌合させる。すなわち、係止部１２は被係止部１３に係止する。これにより、日付板３は固定される。前述したように、各嵌合凹部１３ｂは、曜日群１ａの各曜日に対応した位置に配されており、位置決め窓３ｂに表示される曜日が変更される都度、突起部１２ｂに対向する位置に、いずれかの嵌合凹部１３ｂが位置する。そのため、所望の曜日が位置決め窓３ｂに表示された状態で、日付板３を固定することができる。なお日付板３を回転させる場合には、突起部１２ｂを嵌合凹部１３ｂから取り外せばよい。
【００６６】
図９に示すように、日付板３及びベース板１の右上部の間には、月プレート１１が設けられている。月プレート１１は月表示窓２８の後側に位置する。
【００６７】
図１６は月プレート１１を略示する正面図である。月プレート１１は円形をなし、その外周に円弧上の複数の凹部１１ａが周方向に並設されている。また月プレート１１の中心部には、貫通孔１１ｂが設けられている。月プレート１１の正面には、月表示窓２８に表示される１〜１２の数字が周方向に並設されている。図２及び図９に示すように、月プレート１１の一部は、右レール６の凹部６ｅの内側に位置する。図２に示すように、ベース板１を前側からリベット１６３が貫通しており、このリベット１６３が月プレート１１の貫通孔１１ｂに回転可能に嵌合している。月プレート１１は、リベット１６３を中心にして回転することができる。
【００６８】
ユーザは、凹部６ｅの内側に位置する月プレート１１の外周部分を操作し、月プレート１１を回転させる。なお月プレート１１の外周に形成された凹部１１ａを指で引っ掛けることで、ユーザは容易に月プレート１１を回転することができる。回転によって、月プレート１１の１〜１２の数字の位置が変更される都度、月表示窓２８に表示される１〜１２の数字が変更され、ユーザは所望の月を表示させることができる。
【００６９】
図２に示すように、右レール６の上端部と上レール４の右端部とが突き合わされており、この突き合わされた各端部を第１連結部５１が連結している。
【００７０】
図１７は、第１連結部５１の正面展開図、図１８は、図１７に示すＸＶＩＩＩ−ＸＶＩＩＩ線を切断線とした組み合わせ断面図である。第１連結部５１は、右レール６及び上レール４の前側に配置される前部５１ａと、右レール６及び上レール４の後側に配置される後部５１ｂと、前部５１ａ及び後部５１ｂを連結するヒンジ部５１ｃとを備える。
【００７１】
図１７及び図１８において、前部５１ａは右側に展開している。そのため、図１７及び図１８における前部５１ａの左右前後は、図２の左右前後とは逆になる。図１７及び図１８に示すように、右側に展開した前部５１ａは、上下方向に延びた部分と、該部分の上端から右側（図２の左側）に延びた部分とを有する倒立Ｌ形をなす。前部５１ａの右端部分（図２では左端部分）に、後方に突出した二つの突起部５１ｄが設けられている。前部５１ａの下端部分に後方に突出した突起部５１ｄが設けられている。
【００７２】
前部５１ａの左端部分（図２では右端部分）に、ヒンジ部５１ｃを介して後部５１ｂが連結している。図１７に示すように、展開した状態において、後部５１ｂは、前部５１ａと略左右対称な形状をなし、その左端部分に二つの嵌合孔５１ｅが設けられている。二つの嵌合孔５１ｅの位置は、右側に展開した前部５１ａの右端部分に設けられた二つの突起部５１ｄに対応する。また後部５１ｂの下端部分にも、前部５１ａの下端部分に設けられた突起部５１ｄに対応する嵌合孔５１ｅが設けられている。
【００７３】
前部５１ａは、展開した状態から、ヒンジ部５１ｃを介して前側に回動され（図１８の矢印参照）、前部５１ａ及び後部５１ｂの間に右レール６及び上レール４が挟まれる。また各突起部５１ｄは各嵌合孔５１ｅに嵌合し、前部５１ａ及び後部５１ｂが固定される。
【００７４】
図２に示すように、左レール５の上端部と上レール４の左端部とが突き合わされており、この突き合わされた各端部を第２連結部５２が連結している。
【００７５】
図１９は、第２連結部５２の正面展開図、図２０は、図１９に示すＸＸ−ＸＸ線を切断線とした組み合わせ断面図である。第２連結部５２は、左レール５及び上レール４の前側に配置される前部５２ａと、左レール５及び上レール４の後側に配置される後部５２ｂと、前部５２ａ及び後部５２ｂを連結するヒンジ部５２ｃとを備える。
【００７６】
図１９及び図２０において、前部５２ａは左側に展開している。そのため、図１９及び図２０における前部５２ａの左右前後は、図２の左右前後とは逆になる。図１９及び図２０に示すように、左側に展開した前部５２ａは、上下方向に延びた部分と、該部分の上端から左側（図２の右側）に延びた部分とを有する倒立Ｌ形をなす。前部５２ａの左端部分（図２では右端部分）に、後方に突出した二つの突起部５２ｄが設けられている。前部５２ａの下端部分に後方に突出した突起部５２ｄが設けられている。
【００７７】
前部５２ａの右端部分（図２では左端部分）に、ヒンジ部５２ｃを介して後部５２ｂが連結している。図１９に示すように、展開した状態において、後部５２ｂは、前部５２ａと略左右対称な形状をなし、その右端部分に二つの嵌合孔５２ｅが設けられている。二つの嵌合孔５２ｅの位置は、前部５２ａの左端部分に設けられた二つの突起部５２ｄに対応する。また後部５２ｂの下端部分にも、前部５２ａの下端部分に設けられた突起部５２ｄに対応する嵌合孔５２ｅが設けられている。
【００７８】
前部５２ａは、展開した状態から、ヒンジ部５２ｃを介して前側に回動され（図２０の矢印参照）、前部５２ａ及び後部５２ｂの間に左レール５及び上レール４が挟まれる。また各突起部５２ｄは各嵌合孔５２ｅに嵌合し、前部５２ａ及び後部５２ｂが固定される。
【００７９】
図２に示すように、左レール５の下端部と下レール７の左端部とが突き合わされており、この突き合わされた各端部を第３連結部５３が連結している。
【００８０】
図２１は、第３連結部５３の正面展開図、図２２は、図２１に示すＸＸＩＩ−ＸＸＩＩ線を切断線とした組み合わせ断面図である。第３連結部５３は、左レール５及び下レール７の前側に配置される前部５３ａと、左レール５及び下レール７の後側に配置される後部５３ｂと、前部５３ａ及び後部５３ｂを連結するヒンジ部５３ｃとを備える。
【００８１】
図２１及び図２２において、前部５３ａは下側に展開している。そのため、図２１及び図２２における前部５３ａの上下前後は、図２の上下前後とは逆になる図２１及び図２２に示すように、下側に展開した前部５３ａは、上下方向に延びた部分と、該部分の上端（図２では下端）から右側に延びた部分とを有するＬ形をなす。前部５３ａの右端部分及び下端部分に、後方に突出した突起部５３ｂがそれぞれ設けられている。前部５３ａの上端部分（図２では下端部分）に、ヒンジ部５３ｃを介して後部５３ｂが連結している。
【００８２】
図２１に示すように、展開した状態において、後部５３ｂは、前部５３ａと略上下対称な形状をなし、その右端部分及び上端部分に嵌合孔５３ｅがそれぞれ設けられている。二つの嵌合孔５３ｅの位置は、二つの突起部５３ｄに対応する。
【００８３】
前部５３ａは、展開した状態から、ヒンジ部５３ｃを介して前側に回動され（図２２の矢印参照）、前部５３ａ及び後部５３ｂの間に左レール５及び下レール７が挟まれる。また各突起部５３ｄは各嵌合孔５３ｅに嵌合し、前部５３ａ及び後部５３ｂが固定される。
【００８４】
図２に示すように、右レール６の下端部と下レール７の右端部とが突き合わされており、この突き合わされた各端部を第４連結部５４が連結している。
【００８５】
図２３は、第４連結部５４の背面展開図、図２４は、図２３に示すＸＸＩＶ−ＸＸＩＶ線を切断線とした組み合わせ断面図、図２５は、第４連結部５４の右側面展開図である。なお図２５は、台５４ｆが前側に展開された状態を示している。
【００８６】
第４連結部５４は、右レール６及び下レール７の前側に配置される前部５４ａと、右レール６及び下レール７の後側に配置される後部５４ｂと、前部５４ａ及び後部５４ｂを連結するヒンジ部５４ｃと、前部５４ａに連結した台５４ｆとを備える。
【００８７】
図２３において、第４連結部５４は後側から視認されている。図２３〜図２５において、後部５４ｂは下側に展開している。そのため、図２３〜図２５における後部５４ｂの上下前後は、図２の上下前後とは逆になる。前部５４ａは、上下方向に延びた部分と、該部分の下端から左側に延びた部分とを有する逆Ｌ形をなす。前部５４ａの左端部分及び上端部分に、後方に突出した突起部５４ｄがそれぞれ設けられている。
【００８８】
前部５４ａの下端部分に、ヒンジ部５４ｃを介して後部５４ｂが連結している。図２３に示すように、下側に展開した状態において、後部５４ｂは、前部５４ａと略上下対称な形状をなし、その左端部分及び下端部分（図２では上端部分）に嵌合孔５４ｅがそれぞれ設けられている。二つの嵌合孔５４ｅの位置は、二つの突起部５４ｄに対応する。
【００８９】
後部５４ｂは、展開した状態から、ヒンジ部５４ｃを介して後側に回動され（図２４及び図２５の矢印参照）、前部５４ａ及び後部５４ｂの間に左レール５及び下レール７が挟まれる。また各突起部５４ｄは各嵌合孔５４ｅに嵌合し、前部５４ａ及び後部５４ｂが固定される。
【００９０】
前部５４ａの左側に延びた部分の上縁部に、ヒンジ部５４ｇを介して、横長矩形の台５４ｆが連結している。図２５に示すように、台５４ｆは前側に展開することができる。台５４ｆを前側に展開させることによって、ペン等の道具を台５４ｆに載置させることができる。
【００９１】
実施の形態に係る万年カレンダーにあっては、係止部１２がベース板１の後面部に固定されているので、係止部１２は正面から視認されず、外観意匠性が損なわれない。また係止部１２は日付板３に接離可能であるため、日付板３を固定させる場合に、係止部１２は日付板３に接近して、被係止部１３に係止し、日付板３を回転させる場合には、係止部１２と被係止部１３との係止が解除される。そのため日付板３の固定及び円滑な回転を両立させることができる。
【００９２】
また日付板３を回転させて、日付の位置を変更する都度、万年カレンダーの重心位置も変更される。本実施例に係る万年カレンダーにあっては、例えば、壁から突出した突出部を長孔４１ａに挿入させて、万年カレンダーを掛ける場合、ユーザは、万年カレンダーの平衡をとるべく、万年カレンダーの重心位置に対応させて、長孔４１ａの鋸刃部４１ｂに形成されたいずれかの凹部に突出部を係止させて、万年カレンダーの位置を微調整することができる。
【００９３】
また前側に展開可能な台５４ｆを第４連結部５４に形成することによって、レール同士の連結とペン等の道具の載置との両方を実現することができる。また第４連結部５４は台５４ｆを含むので、別途台５４ｆを形成する必要がなく、部品点数の増加を抑制することができる。
【００９４】
実施の形態においては、係止部１２に突起部１２ｂを設けて、被係止部１３に嵌合凹部１３ｂを設けているが、被係止部１３に突起部を設けて、係止部１２に嵌合凹部を設けてもよい。
【００９５】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００９６】
１  ベース板
１ａ  曜日群
３  日付板
３ａ  日数ユニット
３ｂ  位置決め窓（位置決め部、窓）
４  上レール（補強レール）
５  左レール（補強レール）
６  右レール（補強レール）
７  下レール（補強レール）
８  右押さえ（保持部）
９  左押さえ（保持部）
１２  係止部
１３  被係止部
２７  日表示窓
４１  フック部
４１ａ  長孔
４１ｂ  鋸刃部（凹凸）
５１〜５４  第１連結部〜第４連結部（連結部）
５４ｆ  台
【図１】
0006456323.tif 000002
【図２】
0006456323.tif 000003
【図３】
0006456323.tif 000004
【図４】
0006456323.tif 000005
【図５】
0006456323.tif 000006
【図６】
0006456323.tif 000007
【図７】
0006456323.tif 000008
【図８】
0006456323.tif 000009
【図９】
0006456323.tif 000010
【図１０】
0006456323.tif 000011
【図１１】
0006456323.tif 000012
【図１２】
0006456323.tif 000013
【図１３】
0006456323.tif 000014
【図１４】
0006456323.tif 000015
【図１５】
0006456323.tif 000016
【図１６】
0006456323.tif 000017
【図１７】
0006456323.tif 000018
【図１８】
0006456323.tif 000019
【図１９】
0006456323.tif 000020
【図２０】
0006456323.tif 000021
【図２１】
0006456323.tif 000022
【図２２】
0006456323.tif 000023
【図２３】
0006456323.tif 000024
【図２４】
0006456323.tif 000025
【図２５】
0006456323.tif 000026